(57)【要約】【課題】引起し部本体に対して固定した引起しカバーが脱落することの防止を図ることが可能な収穫機の引起し装置を提供する。【解決手段】引起しカバー３０のフック部材３２とボルト穴３７ａ及びナット３６の距離ｌを、引起し部本体２０のピン状部材２８及びボルト２９の距離Ｌよりも短く構成し、引起しカバー３０のフック部材３２における弾性変形により、フック部材３２からボルト穴３７ａ及びナット３６までの距離ｌを伸張した状態で、引起しカバー３０を引起し部本体２０のピン状部材２８及びボルト２９に対して固定する。フック部材３２の弾性変形の付勢力が、ボルト２９とナット３６との固定部分に付与され、緩み難くなることで、引起しカバー３０が脱落することの防止が図られる。【選択図】図３
2011010636.tif 000002
【特許請求の範囲】
【請求項１】
複数の引起し爪が装着された巻掛け体が張設される引起し部本体の第１固定部及び第２固定部に、第１係着部及び第２係着部を介して着脱自在に固定される引起しカバーを備えた収穫機の引起し装置において、
前記引起しカバーの第１係着部及び第２係着部の距離と、前記引起し部本体の第１固定部及び第２固定部の距離とが相異するように構成し、
前記引起しカバーにおける弾性変形により前記第１係着部及び第２係着部の距離を変長した状態で、前記引起しカバーの第１係着部及び第２係着部を前記引起し部本体の第１固定部及び第２固定部に固定した、
ことを特徴とする収穫機の引起し装置。
【請求項２】
前記引起し部本体の第１固定部に、前記引起しカバーの第１係着部を、該引起しカバーが伸張する方向に対して引っ掛けるように構成し、
前記引起し部本体の第２固定部をボルトで構成し、
前記引起しカバーの第２係着部をボルト穴及びナットで構成した、
ことを特徴とする請求項１記載の収穫機の引起し装置。
【請求項３】
前記引起しカバーは、前記引起し部本体の前面を覆うプレート部材と、該プレート部材の端部に取付けられるフック部材と、有し、
前記引起しカバーの第１係着部は、前記引起し部本体の第１固定部に引っ掛けられて固定される前記フック部材からなり、
前記フック部材が、弾性変形してなる、
ことを特徴とする請求項１または２記載の収穫機の引起し装置。
【発明の詳細な説明】
【技術分野】
【０００１】
本発明は、例えばコンバインやバインダ等の収穫機にあって刈取る穀稈を引起す引起し装置に係り、詳しくは引起し爪が装着された巻掛け体が張設された引起しフレームに、引起しカバーが着脱自在に固定される収穫機の引起し装置に関する。
【背景技術】
【０００２】
従来、例えばコンバインやバインダ等の収穫機にあっては、走行機体の前方に穀稈の刈取りを行う前処理部が配置されており、該前処理部には、刈取る穀稈の引起しを行うための引起し装置が配置されている。特にコンバイン等の大型の収穫機にあっては、該引起し装置が所定間隔で複数配置されている。それら引起し装置の前面には、該引起し装置の機構部（引起し部本体）を覆う引起しカバー（化粧カバー）が配置されている（例えば、特許文献１参照）。
【先行技術文献】
【特許文献】
【０００３】
【特許文献１】特許第３３５９７８６号公報
【発明の概要】
【発明が解決しようとする課題】
【０００４】
ところで、上記引起しカバーは、引起し部本体に対して上方側をフック等により引っ掛け、下方側を例えばノブ付ボルトや異径係合具で固定するものが一般的となっている。しかしながら、走行する土壌の状態や穀稈の衝突などにより生じる振動により、ノブ付ボルトや異径係合具が徐々に回転し、固定が外れてしまい、場合によっては引起しカバーが脱落する虞もあった。
【０００５】
そこで本発明は、引起し部本体に対して固定した引起しカバーが脱落することの防止を図ることが可能な収穫機の引起し装置を提供することを目的とするものである。
【課題を解決するための手段】
【０００６】
請求項１に係る本発明は（例えば図１乃至図７参照）、複数の引起し爪（２５）が装着された巻掛け体（２４）が張設される引起し部本体（２０）の第１固定部（２８）及び第２固定部（２９）に、第１係着部（３２）及び第２係着部（３７ａ、３６）を介して着脱自在に固定される引起しカバー（３０）を備えた収穫機（１）の引起し装置（４０）において、
前記引起しカバー（３０）の第１係着部（３２）及び第２係着部（３７ａ、３６）の距離（ｌ）と、前記引起し部本体（２０）の第１固定部（２８）及び第２固定部（２９）の距離（Ｌ）とが相異するように構成し、
前記引起しカバー（３０）における弾性変形により前記第１係着部（３２）及び第２係着部（３７ａ，３６）の距離を変長した状態で、前記引起しカバー（３０）の第１係着部（３２）及び第２係着部（３７ａ，３６）を前記引起し部本体（２０）の第１固定部（２８）及び第２固定部（２９）に固定した、
ことを特徴とする収穫機の引起し装置（４０）にある。
【０００７】
請求項２に係る本発明は（例えば図３乃至図７参照）、前記引起し部本体（２０）の第１固定部（２８）に、前記引起しカバー（３０）の第１係着部（３２）を、該引起しカバー（３０）が伸張する方向に対して引っ掛けるように構成し、
前記引起し部本体（２０）の第２固定部をボルト（２９）で構成し、
前記引起しカバー（３０）の第２係着部をボルト穴（３７ａ）及びナット（３６）で構成した、
ことを特徴とする請求項１記載の収穫機の引起し装置（４０）にある。
【０００８】
請求項３に係る本発明は（例えば図３乃至図７参照）、前記引起しカバー（３０）は、前記引起し部本体（２０）の前面を覆うプレート部材（３１）と、該プレート部材（３１）の端部に取付けられるフック部材（３２）と、有し、
前記引起しカバー（３０）の第１係着部は、前記引起し部本体（２０）の第１固定部（２８）に引っ掛けられて固定される前記フック部材（３２）からなり、
前記フック部材（３２）が、弾性変形してなる、
ことを特徴とする請求項１または２記載の収穫機の引起し装置（４０）にある。
【０００９】
なお、上記カッコ内の符号は、図面と対照するためのものであるが、これは、発明の理解を容易にするための便宜的なものであり、特許請求の範囲の構成に何等影響を及ぼすものではない。
【発明の効果】
【００１０】
請求項１に係る本発明によると、引起しカバーの第１係着部及び第２係着部の距離と引起し部本体の第１固定部及び第２固定部の距離とが相違するように構成し、引起しカバーにおける弾性変形により第１係着部及び第２係着部の距離が変長した状態で、引起しカバーの第１係着部及び第２係着部を引起し部本体の第１固定部及び第２固定部に固定したので、第１固定部と第１係着部との固定部分や第２固定部と第２係着部との固定部分に、弾性変形による付勢力を付与した状態で引起し部本体に引起しカバーを取付けることができ、振動等によりそれら固定部分が緩むことを防止して、引起し部本体から引起しカバーが脱落することの防止を図ることができる。
【００１１】
請求項２に係る本発明によると、引起し部本体の第１固定部に引起しカバーの第１係着部を引っ掛けると共に、引起し部本体の第２固定部をボルトで構成し、引起しカバーの第２係着部をボルト穴及びナットで構成したので、引起し部本体に引起しカバーを取付ける際に、引起しカバーを引っ張りつつ第２固定部と第２係着部との位置合わせを行うことを不要とし、引起しカバーを引っ張りつつボルトをボルト穴に通すだけで足りるため、引起しカバーの取付けを容易にすることができる。
【００１２】
請求項３に係る本発明によると、引起しカバーを、引起し部本体の前面を覆うプレート部材と該プレート部材の端部に取付けられるフック部材とで構成し、引起しカバーを引起し部本体に取付ける際に該フック部材が弾性変形するので、特にプレート部材を弾性変形し難い高剛性の部材により構成することができ、穀稈の衝突等に対する引起しカバーの耐久性向上を図ることができる。
【図面の簡単な説明】
【００１３】
【図１】コンバインを示す側面図である。
【図２】前処理部の引起し装置を示す正面図である。
【図３】引起し装置の分解側面図である。
【図４】引起し装置の分解斜視図である。
【図５】引起し装置の上方部分を拡大して示す分解側面図である。
【図６】引起し装置の下方部分を拡大して示す分解側面図である。
【図７】引起し装置の下方部分を拡大して示す側面図である。
【発明を実施するための形態】
【００１４】
以下、本発明に係る実施の形態を図１乃至図７に沿って説明する。図１に示すように、コンバイン（収穫機）１は、一対のクローラ走行装置２、２に支持された走行機体３を有し、該走行機体３の左右方向の一側には、穀稈の脱穀を行うための脱穀装置５が支持され、該脱穀装置５には、刈取られた穀稈を該脱穀装置５に沿って搬送するフィードチェーン６が付設されている。
【００１５】
上記走行機体３の左右方向の他側には、前部にエンジン室（図示せず）が支持され、その上部に座席シート（図示せず）が配置された運転席７が配置されている。該エンジン室の後方には、上記脱穀装置５で穀稈から脱穀された穀粒が一時的に貯蔵されるグレンタンク９が支持され、該グレンタンク９には、内部に貯留した穀粒を排出するためのオーガ８が付設されている。上記走行機体３の後部には、穀粒が脱穀された排藁を処理する排藁処理装置１０が支持されている。
【００１６】
上記走行機体３の前部には、穀稈を刈取り上記脱穀装置５へ搬送する前処理部１１が昇降自在に支持されている。該前処理部１１には、図２に示すように、その先端部に配置され圃場に植えられた穀稈の分草を行う複数のデバイダ１２と、該前処理部１１に所定の間隔で配置され、それらデバイダ１２で分草された穀稈を引起す複数の引起し装置４０と、該引起し装置４０で引起された穀稈を刈取る刈刃装置１５と、該刈刃装置１５で刈取られた穀稈を掻き込む掻き込み装置（図示せず）と、該掻き込み装置で掻き込まれた穀稈の穂先位置を調整しつつ搬送する扱深さ搬送装置１７（図１参照）と、該扱深さ搬送装置１７から上記フィードチェーン６に穀稈を受け渡す受渡し搬送装置１６（図１参照）を備えている。
【００１７】
図２乃至図４に示すように、上記引起し装置４０は、大まかに、引起し装置４０の機構部分を構成する引起し部本体２０と、該引起し部本体２０の前面側を覆う引起しカバー３０とを備えて構成されている。引起し部本体２０は、引起しフレーム２１、クッションガイド２７、ピン状部材（第１固定部）２８等を備えて構成されており、そのうちの引起しフレーム２１は、前処理部１１のフレーム（図示せず）に支持されたギヤケース４１に対して取付けられていると共に、前後方向に所定の間隔で固定されて一対を成すように構成されている。それら一対の引起しフレーム２１の間には、該ギヤケース４１に回転自在に支持されると共に該ギヤケース４１内の動力伝達係に接続されて駆動される駆動スプロケット２２が配置されており、また、該駆動スプロケット２２の斜め下方側には、該駆動スプロケット２２にテンションを付与するテンションローラ２３が配置されている。
【００１８】
引起しフレーム２１の下端部には、回転自在に支持された従動ローラ２６（図３参照）が配置されており、上記駆動スプロケット２２及び従動ローラ２６には、チェーン２４（巻掛け体）（図３参照）が巻掛けられて張設されている。該チェーン２４には、所定の間隔で起伏自在に多数のタイン（引起し爪）２５が装着されている。そして、引起しフレーム２１の上方には、チェーン２４の移動経路に沿って上方側に配置され、タイン２５に当接して該タイン２５が下向きとなる際に起立してしまうことを防止するクッションガイド２７が設けられている。
【００１９】
該クッションガイド２７は、上記ギヤケース４１に対して台座４２を介して取付けられており、該台座４２のさらに上方側には、詳しくは後述する引起しカバー３０のフック部材（第１係着部）３２を引っ掛けるための上記ピン状部材２８が水平方向に掛渡される形で配置されている。また、上記引起しフレーム２１の下方側にあって、上記従動ローラ２６の中心軸上における前方側には、ボルト（第２固定部）２９が該引起しフレーム２１の前面より突出するように設けられている。なお、上記ピン状部材２８の上端と該ボルト２９の中心軸との距離を図３中の「Ｌ」で示す。
【００２０】
以上のように構成された引起し部本体２０は、不図示の伝動系により駆動される駆動スプロケット２２によって回転されるチェーン２４が、引起し装置４０同士の間に形成される移送路にあってタイン２５を下方から上方に移動し、不図示のガイド板により起立されたタイン２５により穀稈を上方に引起す。タイン２５は、不図示のガイド板によって移送路の下方部分だけにおいて起立され、該ガイド板から外れると倒伏して上方に移動される。また、倒伏した状態で移動されたタイン２５は、クッションガイド２７により起立が防止されつつ該チェーン２４と連れ回って下方側に移動され、再び下方側から移送路に戻った際に、図示を省略したガイド板に案内されて起立されるように構成されている。
【００２１】
一方、図２乃至図４に示すように、引起しカバー３０は、大まかに、上記引起し部本体２０の前面側の略々全体を覆うプレート部材３１と、そのプレート部材３１の上方端部に溶接等により固着されたフック部材３２と、ボルト３４によりプレート部材３１に固着されたサイド板３３とを備えて構成されている。これらプレート部材３１、フック部材３２、サイド板３３は、金属製からなるが、樹脂材料等で構成しても構わない。
【００２２】
上記サイド板３３は、該引起しカバー３０が引起し部本体２０に固定・取付けされた際に、移送路と反対側の側面を覆うように構成されていると共に、特に２つの引起し装置４０が隣り合う部分にあって（図２参照）、隣り合うサイド板３３同士が貼り合わされる形で支え合うように構成されている。これにより、それら引起し装置４０の支持強度を増強するように構成されている。
【００２３】
上記フック部材３２は、上記ピン状部材２８に引っ掛けるための溝部３２ａが形成されていると共に、上下方向の力に対して弾性変形し得るように構成されている。該フック部材３２の溝部３２ａの底部の深さは、図５に示すように、後述のボルト穴（第２係着部）３７ａとボルト２９との中心軸を位置合わせした状態で、ピン状部材２８の上端よりも長さｄ（数ミリ程度）だけ浅く形成されている。従って、図３に示すように、引起しカバー３０におけるフック部材３２の溝部３２ａの底部と後述するボルト穴３７ａの中心軸との距離は「ｌ」であり、該距離ｌは、上述したピン状部材２８の上端とボルト２９の中心軸との距離Ｌよりも長さｄだけ短く構成されていることになる。
【００２４】
上記プレート部材３１の下端部分には、図４及び図６に示すように、ナット（第２係着部）３６を収納するナット収納穴３５が形成されている。即ち、プレート部材３１の背面側にはプレート３７が溶接等により固着されており、該プレート３７には、上記ボルト２９を貫通して受け入れるボルト穴３７ａが形成されている。また、プレート部材３１の前面側には、ナット３６よりも大径な貫通孔３５ａが形成されており、つまりナット３６を収納する空間としてナット収納穴３５が形成されていることになる。
【００２５】
以上のように構成された引起しカバー３０を引起し部本体２０に対して取付ける際は、まず、フック部材３２の溝部３２ａをピン状部材２８に上方側から引っ掛ける。その状態で、引起しカバー３０を下方側に引っ張り、フック部材３２を弾性変形させて該引起しカバー３０を伸張させつつ、ボルト穴３７ａをボルト２９に引っ掛けて、該ボルト２９をボルト穴３７ａに貫通させる。そして、図７に示すように、ボルト２９にナット３６を螺合することで、引起しカバー３０を引起し部本体２０に対して固定する。なお、ナット３６を外すことで、引起し部本体２０から引起しカバー３０を取外し、引起し部本体２０のメンテナンスを行うことができるように構成されており、つまり引起し部本体２０に対して引起しカバー３０は着脱自在に固定される。
【００２６】
このように引起しカバー３０をフック部材３２の弾性変形により伸張（変長）させつつボルト２９とナット３６とを締結することで、これらボルト２９とナット３６との間に弾性変形の付勢力（テンション）が付与されており、ナット３６が緩み難くなるので、走行振動や穀稈の衝突などにより引起し装置４０に振動や衝撃が加わったとしても、引起しカバー３０が引起し部本体２０から脱落することの防止を図ることができる。
【００２７】
また、ナット３６は、図７に示すように、ナット収納穴３５内に完全に収納されており、言い換えると、ナット３６が引起しカバー３０の前面に突出していないので、穀稈がナット３６に衝突することを防止することができ、より一層、ナット３６の脱落を防いで、つまり、引起しカバー３０が引起し部本体２０から脱落することの防止を図ることができる。
【００２８】
さらに、例えばボルトを引起しカバー３０の前面側から通して引起し部本体２０に取付けようとすると、引起しカバー３０を下方に引っ張ってテンションが生じている状態でボルト穴の位置合わせが必要となってしまうが、本実施の形態のように、ボルト２９が引起し部本体２０から突出して配置されていることで、引起しカバー３０を下方に引っ張りつつボルト穴３７ａをボルト２９に引っ掛けて通すだけで位置合わせができるので、引起しカバー３０の取付けを容易にすることができる。
【００２９】
そして、引起しカバー３０を、引起し部本体２０の前面を覆うプレート部材３１と該プレート部材３１の端部に取付けられるフック部材３２とで構成し、引起しカバー３０を引起し部本体２０に取付ける際に該フック部材３２が弾性変形する構成であるので、特にプレート部材３１を例えば金属製等の弾性変形し難い高剛性の部材により構成することができ、穀稈の衝突等に対する引起しカバーの耐久性向上も図ることができる。
【００３０】
なお、以上説明した本実施の形態においては、引起しカバー３０の上方においてフック部材３２をピン状部材２８に引っ掛ける構成のものを説明したが、上方側もボルトとナットとの螺合により固定するようにしてもよく、これらに限らず、引起し部本体２０に対する引起しカバー３０の固定手法において、上方側の固定手法と下方側の固定手法は、上方側の固定部分と下方側の固定部分との距離として引起しカバー３０と引起し部本体２０との距離が相異し、該引起しカバー３０が弾性変形するものであれば、どのようなものであってもよい。
【００３１】
また、本実施の形態では、フック部材３２が弾性変形するものを説明したが、勿論、プレート部材３１が弾性変形するものであってもよく、これらに限らず、引起しカバー３０の何れかの部位が弾性変形するものであれば、どのようなものであってもよい。
【符号の説明】
【００３２】
１    収穫機（コンバイン）
２０    引起し部本体
２４    巻掛け体（チェーン）
２５    引起し爪（タイン）
２８    第１固定部（ピン状部材）
２９    第２固定部、ボルト
３０    引起しカバー
３１    プレート部材
３２    第１係着部、フック部材
３６    第２係着部、ナット
３７ａ    第２係着部、ボルト穴
４０    引起し装置
ｌ    距離
Ｌ    距離
【図１】
2011010636.tif 000003
【図２】
2011010636.tif 000004
【図３】
2011010636.tif 000005
【図４】
2011010636.tif 000006
【図５】
2011010636.tif 000007
【図６】
2011010636.tif 000008
【図７】
2011010636.tif 000009